(57)【要約】【課題】紙単一素材で１部の電気、配線、器具を除いた素材のほとんどが、リサイクル可能な部材を使用することと、紙、素材のセルローズファイバーの特徴である特に高い吸音性能と、遮蔽効果を得ることである。またできる限り軽い素材で構成して、安価で且つ簡単に組み立て可能にすることである。【解決手段】  上記課題を解決する為に、古紙を使って構成することが可能であり、音の伝達力が非常に低く、音波、振動が効率よく遮断できる性質をいかんなく発揮できるように、特に側面パネル２ａ遮蔽部材、２ｂ共鳴管部で構成している、上部遮蔽パネルも同様な構造となっている、換気口取付けパネル６は遮蔽可能な換気口７を備え、床パネル８は８ａ、８ｂの特に防振効果に優れた蜂の巣状部材と積層ピラミットまたは円柱、角柱状部材を一体化した遮蔽構造床パネルを構成したものである。【選択図】図２
2009084991.tif 000002
【特許請求の範囲】
【請求項１】
ダンボール紙、板紙、紙管を遮蔽構造材として使用する、パネル組立式防音室で、防音室全てのパネルを防音室内側から組立可能であり、接着テープ等で簡単に接着固定して、組付け出来ることを特徴とする、紙素材のパネル組立式構造である。
【請求項２】
ダンボール紙、また板紙を積層して平面状になった面に、円筒状、角筒形、等に成型された形状の紙管等を縦方向、また横方向に整列して並べてダンボール紙等にて、両面から挟み接着材等により、パネル状に形成されたことを特徴とする遮蔽構造である。
【請求項３】
紙管を挟む両面に構成したダンボール紙、また板紙は何層か張り合わせて単一素材で構成することを特徴とする遮蔽構造である。
【請求項４】
請求項３で構成された積層部材で、請求項２で示した紙管形状の部材の両面に構成した、どちらか一面を吸音面とした面に対して、一定の間隔、またランダムに穴を貫通開口して、配置構成されている、遮蔽パネル構造を形成することを特徴とする遮蔽構造である。
【請求項５】
請求項２で記載した円筒状の紙管は、一枚のパネルを形成する中で、紙管は長さ方向で切断されていて、その切断長さは一定ではなく、短、長、ランダムに構成して音響、消音用波数にあわせた遮蔽構造を備え吸音効果と遮蔽効果を、より効率よく得られることを特徴とする遮蔽構造パネルである。
【請求項６】
請求項１で記載の防音室で、換気口には比較的やわらかい素材の紙を紙管状に、何枚も巻き合わせて肉厚の紙管を形成して、通気できるように構成し、遮蔽構造を備えたことを特徴とする防音室である。
【請求項７】
請求項１に記載の防音室の床はダンホール紙を縦方向に切断した面が、上部平面から見ると、蜂の巣状に形成された部材または板紙を備え、片面にはピラミットまたは円柱、角柱、状にダンボール紙、また厚板紙で貼り合わせて成形した、ブロックをならべて取付けた遮蔽構造で、床に使用する場合はピラミット状の頂点方向を下向きに取付け、一定の厚さに構成した遮蔽構造材を、防音室設置箇所の床面に敷き、床構造材として使用する、遮蔽構造を備えたことを特徴とする防音室である。
【請求項８】
請求項１に記載の防音室は、出入り口を引き戸で上下に戸を挟み引き戸が潤滑に、可動できるようになっていて、尚且つ遮蔽性能を備えたことを特徴とする防音室である。
【発明の詳細な説明】
【技術分野】
【０００１】  本発明は防音室に係り、特に楽器等の演奏、災害時の仮設部屋その他に使用する組立式防音室に関するものである。
【背景技術】
【０００２】  特に楽器演奏、歌などの楽しむ場合など、住宅密集地、集合住宅などで、近隣の住民などに、楽器演奏音等が騒音となって影響するなど、文化生活をする昨今、騒音は深刻な問題である。【０００３】  また災害時非難場所等にあって長期間にわたる非難生活の際に個人のプライバシーが阻害される等の問題が発生して、身体、健康に悪い影響を与え特に高齢者にとっては、深刻である。
【発明の開示】
【発明が解決称とする課題】
【０００４】  本発明は上記従来の問題点に着目して試されたものであり、低コストで、現在では日本国内、世界中どこにでも簡単に誰でもが入手できる素材で、紙の原料であるセルローズファイバーの特性を引き出し、高い遮蔽効果と断熱効果を提供するものである。
【０００５】  また資源のリサイクルと、廃棄処分の際特に分別の必要が無く、単一素材で目的を解決できる課題とするものである。
【０００６】  本発明は上記課題を解決するためになされたものであり、請求項１の発明は一定の厚さに成型した積層ダンホールと一定の厚さに成型し、穴あけした積層ダンボールとの間に紙管を配したパネルを構成して、このパネルを組み合わせることによって防音室を組立できるように、構成された非常に軽くて、丈夫な部材から成ることを特徴とする防音室である。
【０００７】  請求項２の発明は、請求項１に記載した防音室においてパネルの強度を持たせるための目的と、吸音をより効果的にするための手段で紙管を、積層ダンボールで挟みこみ、一面の積層ダンボールは貫通穴が配置されていて、紙管の長さを変えることにより吸音する、音の周波数も自由に変えることが可能なように防音パネルに構成したことを特徴とする、遮蔽構造材である。
【０００８】  請求項３の発明は、請求項１または２に記載した、遮蔽構造を有するパネルにおいて、より高い遮蔽効率を得る為とパネルに強度を持たせるために、ダンボール紙、また板紙を貼りあわせて構成したことを特徴とする、遮蔽構造材である。
【０００９】  請求項４の発明は、請求項１から３に記載した、遮蔽構造パネルで、音源側、防音室の場合は室内側になるように、配置するのであって、パネルの一面に開口した貫通穴から、入射した音は、内部に配した紙管が、共鳴管となって、より効率の良い吸音性能が発揮できるように構成したことを特徴とする、遮蔽構造材である。
【００１０】  請求項５の発明は、請求項１から４に記載した、遮蔽構造パネルで、特に請求項２に記載している紙管の端部２箇所のうちどちらか、一方向一箇所を、ダンボール紙又は厚紙にて塞いで、尚且つ紙管の長さを変えたものを整列して、共鳴管としたことを特徴とする、遮蔽構造材である。
【００１１】  請求項６の発明は、請求項１から３に記載の遮蔽パネル防音室において、特にやわらかい紙部材を紙管のごとく中心に通気できるように、肉厚に成形した紙管で、効率よく、換気することができるのと同時に、通気部がやわらかい紙のため、高い吸音効果が得られ、遮音できるように、構成したことを特徴とする、遮蔽構造材である。
【００１２】  上記請求項６の発明で、肉厚に成形した紙管の形状を、円錐型にして中心を通気できるように構成してもよい。
【００１３】  請求項７の発明は、請求項１に記載した防音室で床に使用して十分強度が得られる、蜂の巣状の紙部材で構成して、尚且つ衝撃、振動音を効率よく吸収できるように、ダンボール紙、また板紙にてピラミットまたは円柱、角柱状に成形した部材を一面に並べて構成したことを特徴とする、遮蔽床構造である。
【発明の効果】
【００１４】  本発明の紙素材防音室は低コストで高い遮蔽効果が発揮でき、近隣騒音対策等に使用できる、又完全な一素材で構成している為、リサイクル処分の際も便利であり、遮蔽構造パネル製造の際は廃棄処分された、ダンボール、古新聞等の、古紙を使用することができるため、地球環境、地球温暖化に貢献することが可能である。
【発明を実施するための最良の形態】
【００１５】  本発明の実施の形態に係る紙素材防音室を図面によって説明する。
図１は実施例の斜系図で、図２は側断面図で、図３は同上遮蔽構造パネルの分解斜視図である。図４は同上遮蔽構造パネルに内蔵される、紙管の拡大横断面図を示し、図５は図１、２の実施例に示す、防音室上部の遮蔽換気構造を拡大して示す側断面である、図６は床パネル側断面図である。図７は出入口引戸のたて断面図、図８は図３の断面図を示す。また、図９、図１０、図１１はパネルの接続部の詳細断面図です。
【発明を実施するための最良の形態】
【実施例１】
【００１６】  図１は実施例１に係る紙素材防音室の施工状態を示す組立斜視図、図２は組立断面図、図３は同上遮蔽構造パネルの分解斜視図、図４は同上遮蔽構造パネルに内蔵される紙管の拡大横断面図、図５は、図１、２の実施例に示す、防音屋上部の遮蔽換気構造を拡大して示す横断面図、図６は床パネル横断面図、図７は出入口引戸のたて断面図である。【００１７】  実施例１に係る防音室は、図２に示すように、紙素材で構成した防音パネルで、側面パネル、上部パネル、上部換気用パネルと引戸を備え、各パネルは接着テープで接続、固定して構成する。【００１８】  図３は側面及び上部遮蔽構造パネルの分解斜視図であり、２ａと２ａ積層ダンボール、板紙の中間に内蔵する紙管２ｂは、入射音の共鳴周波数に合わせて共鳴させたい周波数を選定して共鳴管２ｂすなわち、紙管の長さを決めて、切断して、紙管２ｂの片側に図４の２ｂ紙管フサギ板紙を取付けて構成した紙管２ｂを整列して、一方向に並べ、両側面から積層ダンボール、板紙、２ａを取付けて構成した強度のある防音パネルとしたものであり、特に吸音が必要の場合は積層ダンボール、板紙２ａ片側面に貫通穴２ｃが設けられている。また、パネル１の紙管２ｂを切断して、電気コンセント１０、１１を取付け、電線１０ｂ、１１ａランケーブルを紙管２ｂの中空部を通して、上部に配線して、プラグ１０ｃまた１ｂランケーブル用プラグを備えている。【００１９】  図５で示す上部の換気口では薄くて柔らかい素材の紙を紙管状に巻きつけて構成した部材であり、上部遮蔽構造パネル６の上面積層ダンボール、板紙２ａに遮蔽換気口７が入る穴を開けて、紙管２ｂのその部分も切断・固定し、空気など換気もでき、なおかつ吸音できるように構成したものである。【００２０】  出入口は、側面遮蔽構造パネル１と同様な扉パネル３で構成されていて、下部は、下部ガイドレール４ｂが入るように成形され、なおかつローラー３ｂ、円形紙管を取付け、上部は、上部ガイドレール４ａに入れ込み引戸を構成して、戸３の周囲から音が漏れないように柔らかい紙で成形した丸棒３ｃを固定している。また戸の取手３ａは、紙管又は紙紐を取手のように成形したものを備えてある。【００２１】  床パネル８については図６で示す、床下地仕上げ面に対して、角すい形、円すい形、例えば逆ピラミット形にダンボール紙、板紙等にて積層し、成形した部材８ａをペーパーコア材、ダンボール板、板紙８ｂの下面に張付けてその上に板仕上げ材、フローリング８ｃまたはカーペット等を取付け構成されるものである。
【実施例２】
【００２２】  遮蔽構造パネル１、紙素材防音室の組立は図８に示す。側面遮蔽パネル１、イ凸部が、ウ凹部に、図９に示すように接続する。接続部が外れない様に、接着テープ９にて貼り合わせて固定するものである。【００２３】  側面遮蔽パネル１と、上部遮蔽パネル５、また換気口取付パネル６、との接続は、図１０に示すように取付けて組付けて、接着テープ９にて貼り合せて固定するものである。
【産業上の利用可能性】
【００２４】  本発明の紙素材防音室は、楽器等の演奏、カラオケ室等、また静かな癒し空間を提供する部屋として、また災害時の非難用仮設部屋として使用することが可能で、地震など発生した際でも、万が一紙素材防音室が倒れた場合であっても、素材が紙で構成されて、非常に軽量なため、人が下敷きになったとしても、大怪我をする可能性が大変低い。地震などの被災地での使用が可能であり、なにより被災者のプライバシーを保つことが可能となる。軽くて誰でもが簡単且つ短時間で組立できる為、簡易的にいつでも、どこでも、使用できる。
【図面の簡単な説明】
【００２５】
【図１】本発明の実施の形態に係る紙素材防音室の施工状態を示す斜視図である。
【図２】図１の側断面図である。
【図３】同上の側面遮蔽パネル分解斜視図である。
【図４】図３の遮蔽構造パネル内部に装備される紙管の側断面図である。
【図５】図１の防音室に装備される換気用遮蔽構造の側断面図である。
【図６】図１の防音室に装備される床遮蔽構造の側断面図である。
【図７】図１の防音室に装備される出入口の引戸の断面図である。
【図８】図１の防音室の側面遮蔽パネル平断面図である。
【図９】図１の防音室の側面遮蔽パネル接続部断面図である。
【図１０】図１の防音室コーナー部の接続断面図である。
【符号の説明】
【００２６】１  紙素材遮蔽パネル      ２ａ  側面遮蔽部材      ２ｂ  紙管
２ｃ  貫通穴      ２ｄ  紙管フサギ板      ３  遮蔽引き戸
３ａ  取手      ３ｂ  ローラー      ３ｃ  パッキン
４ａ  上部引き戸ガイド      ４ｂ  下部引き戸ガイド
５  上部遮蔽パネル      ６換気口取り付パネル      ７  換気口
８  床パネル      ８ａ  下部遮蔽材      ８ｂ  床遮蔽パネル構造材
８ｃ  床仕上げ材      ９  接着テープ      １０  コンセント
１０ａ  照明器具取付金具      １０ｂ  電線      １０ｃ  プラグ
１１  ランケーブルコンセント      １１ａ  ランケーブル
１１ｂ  ランケーブルプラグ      １２  床下地仕上面      １３  ピアノ
ア  通気口      イ  凸接続部      ウ  凹接続部
【図１】
2009084991.tif 000003
【図２】
2009084991.tif 000004
【図３】
2009084991.tif 000005
【図４】
2009084991.tif 000006
【図５】
2009084991.tif 000007
【図６】
2009084991.tif 000008
【図７】
2009084991.tif 000009
【図８】
2009084991.tif 000010
【図９】
2009084991.tif 000011
【図１０】
2009084991.tif 000012